(57)【要約】【課題】送客効果に寄与している関係者に広く報酬を還元すること。【解決手段】電子マネーカード６をリーダライタ５に設置すると、紹介サイト接続部６１が起動し、ユーザ端末４を紹介サイト１０に接続する。紹介サイト接続部６１は、メーカ情報を記憶しており、紹介サイト１０に接続する際に、電子マネーカード６から読み取った電子マネー機能部ＩＤとメーカ情報を紹介サイト１０に送信する。紹介サーバ３は、紹介サイト１０によってユーザ端末４を加盟店サーバ８に接続し、加盟店サーバ８は、ユーザが加盟店サイトで商品などを購入すると、その購入情報を紹介サーバ３に送信する。紹介サーバ３は、購入情報から報酬金額を計算し、これを電子マネー機能部ＩＤ、メーカ情報と共に分配サーバ７に送信する。分配サーバ７は、所定の分配比率に基づいて報酬金額を電子マネー機能部ＩＤとメーカ情報に分配する。【選択図】図１
2008225968.tif 000002
【特許請求の範囲】
【請求項１】
店舗の商取引ウェブサイトへ誘導する広告ウェブサイトに顧客端末を接続する機能を実現する広告ウェブサイト接続プログラムであって、
前記顧客端末は、顧客のＩＣチップにアクセスするリーダライタを備えたコンピュータであって、
ＩＣチップが前記リーダライタに接続したことを検知する検知機能と、
前記接続を検知した場合に、前記顧客端末を所定の広告ウェブサイトに接続する接続機能と、
前記顧客を前記所定の広告ウェブサイトを介して商取引ウェブサイトに誘導した実績による報酬を受ける報酬対象者を特定する報酬対象者情報を記憶する報酬対象者情報記憶機能と、
前記記憶した報酬対象者情報を前記接続した広告ウェブサイトに送信する報酬対象者情報送信機能と、
をコンピュータで実現する広告ウェブサイト接続プログラム。
【請求項２】
前記報酬対象者情報は、前記接続機能によって前記所定の広告ウェブサイトに接続する際の接続情報に含まれていることを特徴とする請求項１に記載の広告ウェブサイト接続プログラム。
【請求項３】
前記接続を検知したＩＣチップから当該ＩＣチップを特定するＩＣチップ情報を取得し、前記接続した広告ウェブサイトに送信するＩＣチップ情報送信機能を実現する請求項１、又は請求項２に記載の広告ウェブサイト接続プログラム。
【請求項４】
前記ＩＣチップには、所定のプログラムがインストールされており、前記検知機能は、前記所定のプログラムがインストールされているＩＣチップを検知することを特徴とする請求項１、請求項２、又は請求項３に記載の広告ウェブサイト接続プログラム。
【請求項５】
前記所定のプログラムは、貨幣価値を記憶する機能と、当該記憶した貨幣価値を増減する機能と、を前記ＩＣチップで実現する電子マネー処理プログラムであって、前記商取引ウェブサイトは、前記電子マネー処理プログラムにより決済可能であることを特徴とする請求項１から請求項４までのうちの何れか１の請求項に記載の広告ウェブサイト接続プログラム。
【請求項６】
請求項１から請求項５までのうちの何れか１の請求項に記載の広告ウェブサイト接続プログラムをコンピュータが読み取り可能に記憶した記憶媒体。
【請求項７】
請求項１から請求項５までのうちの何れか１の請求項に記載の広告ウェブサイト接続プログラムを記憶する記憶手段と、
前記記憶した広告ウェブサイト接続プログラムを実行する実行手段と、
ＩＣチップにアクセスするリーダライタと、
を具備したことを特徴とする情報処理装置。
【請求項８】
顧客端末からアクセスを受け、店舗の商取引ウェブサイトへ誘導する広告ウェブサイトを運営するサーバ装置であって、
前記顧客端末から、前記広告ウェブサイトへの接続を受け付ける接続受付手段と、
前記接続を受け付けた顧客端末を商取引ウェブサイトに接続させることにより、顧客を商取引ウェブサイトに誘導する誘導手段と、
前記誘導した実績による報酬を受け取る報酬対象者を特定する報酬対象者情報を前記顧客端末から取得する報酬対象者情報取得手段と、
前記誘導した実績による報酬金額を取得する報酬金額取得手段と、
前記取得した報酬対象者情報と、前記報酬金額を対応づけて記憶する記憶手段と、
を具備したことを特徴とするサーバ装置。
【発明の詳細な説明】
【技術分野】
【０００１】
本発明は、広告ウェブサイト接続プログラム、記憶媒体、情報処理装置、及びサーバ装置に関し、例えば、ＩＣカードのユーザを広告ウェブサイトに誘導するものに関する。
【背景技術】
【０００２】
近年のインターネットの普及により、アフィリエイトと呼ばれる広告手法が盛んに用いられている。
アフィリエイトとは、ウェブサイトの運営者がバナー広告などにより所定の店舗のウェブサイトへリンクを張り、ウェブサイトの閲覧者が当該リンクを経由して店舗のウェブサイトで買い物をした場合に、店舗からウェブサイトの運営者に報酬が支払われる仕組みである。
アフィリエイトに関する技術としては、例えば、次の「広告配信システム」がある。
【特許文献１】特開２００３−２０８５３８号公報
【０００３】
この技術は、顧客がアフィリエイトサイトを通して商用サイトにアクセスした訪問累積数を計算し、この計算によるランキングに基づいて報酬を計算するものである。
【発明の開示】
【発明が解決しようとする課題】
【０００４】
しかし、従来は、アフィリエイトサイトの運営者にのみ報酬が還元されており、例えば、ユーザ端末として使用されているコンピュータのメーカや、アフィリエイトサイトへの接続を支援するアフィリエイトプログラムなども送客効果に寄与しているにも関わらず、報酬が支払われていなかった。
【０００５】
そこで、本発明の目的は、送客効果に寄与している関係者に広く報酬を還元することである。
【課題を解決するための手段】
【０００６】
本発明は、前記目的を達成するために、請求項１に記載の発明では、店舗の商取引ウェブサイトへ誘導する広告ウェブサイトに顧客端末を接続する機能を実現する広告ウェブサイト接続プログラムであって、前記顧客端末は、顧客のＩＣチップにアクセスするリーダライタを備えたコンピュータであって、ＩＣチップが前記リーダライタに接続したことを検知する検知機能と、前記接続を検知した場合に、前記顧客端末を所定の広告ウェブサイトに接続する接続機能と、前記顧客を前記所定の広告ウェブサイトを介して商取引ウェブサイトに誘導した実績による報酬を受ける報酬対象者を特定する報酬対象者情報を記憶する報酬対象者情報記憶機能と、前記記憶した報酬対象者情報を前記接続した広告ウェブサイトに送信する報酬対象者情報送信機能と、をコンピュータで実現する広告ウェブサイト接続プログラムを提供する。
請求項２に記載の発明では、前記報酬対象者情報は、前記接続機能によって前記所定の広告ウェブサイトに接続する際の接続情報に含まれていることを特徴とする請求項１に記載の広告ウェブサイト接続プログラムを提供する。
請求項３に記載の発明では、前記接続を検知したＩＣチップから当該ＩＣチップを特定するＩＣチップ情報を取得し、前記接続した広告ウェブサイトに送信するＩＣチップ情報送信機能を実現する請求項１、又は請求項２に記載の広告ウェブサイト接続プログラムを提供する。
請求項４に記載の発明では、前記ＩＣチップには、所定のプログラムがインストールされており、前記検知機能は、前記所定のプログラムがインストールされているＩＣチップを検知することを特徴とする請求項１、請求項２、又は請求項３に記載の広告ウェブサイト接続プログラムを提供する。
請求項５に記載の発明では、前記所定のプログラムは、貨幣価値を記憶する機能と、当該記憶した貨幣価値を増減する機能と、を前記ＩＣチップで実現する電子マネー処理プログラムであって、前記商取引ウェブサイトは、前記電子マネー処理プログラムにより決済可能であることを特徴とする請求項１から請求項４までのうちの何れか１の請求項に記載の広告ウェブサイト接続プログラムを提供する。
請求項６に記載の発明では、請求項１から請求項５までのうちの何れか１の請求項に記載の広告ウェブサイト接続プログラムをコンピュータが読み取り可能に記憶した記憶媒体を提供する。
請求項７に記載の発明では、請求項１から請求項５までのうちの何れか１の請求項に記載の広告ウェブサイト接続プログラムを記憶する記憶手段と、前記記憶した広告ウェブサイト接続プログラムを実行する実行手段と、ＩＣチップにアクセスするリーダライタと、を具備したことを特徴とする情報処理装置を提供する。
請求項８に記載の発明では、顧客端末からアクセスを受け、店舗の商取引ウェブサイトへ誘導する広告ウェブサイトを運営するサーバ装置であって、前記顧客端末から、前記広告ウェブサイトへの接続を受け付ける接続受付手段と、前記接続を受け付けた顧客端末を商取引ウェブサイトに接続させることにより、顧客を商取引ウェブサイトに誘導する誘導手段と、前記誘導した実績による報酬を受け取る報酬対象者を特定する報酬対象者情報を前記顧客端末から取得する報酬対象者情報取得手段と、前記誘導した実績による報酬金額を取得する報酬金額取得手段と、前記取得した報酬対象者情報と、前記報酬金額を対応づけて記憶する記憶手段と、を具備したことを特徴とするサーバ装置を提供する。
【発明の効果】
【０００７】
本発明によれば、ユーザ端末に報酬対象者を特定する情報を記憶させ、この報酬対象者にも利益を還元することにより、報酬を分配することができる。
【発明を実施するための最良の形態】
【０００８】
（１）実施の形態の概要
ユーザが電子マネーカード６（図１）をリーダライタ５に設置すると、紹介サイト接続部６１が起動し、ユーザ端末４を紹介サイト１０に接続する。紹介サイト接続部６１は、ユーザ端末４のメーカを特定するメーカ情報を記憶しており、紹介サイト１０に接続する際に、電子マネーカード６から読み取った電子マネー機能部ＩＤ（電子マネーカード６のＩＤ）とメーカ情報を紹介サイト１０に送信する。紹介サーバ３は、紹介サイト１０によってユーザ端末４を加盟店サーバ８の紹介サイト１０に接続し、加盟店サーバ８は、ユーザが加盟店サイトで商品などを購入すると、その購入情報を紹介サーバ３に送信する。紹介サーバ３は、購入情報から報酬金額を計算し、これを電子マネー機能部ＩＤ、メーカ情報と共に分配サーバ７に送信する。分配サーバ７は、所定の分配比率に基づいて報酬金額を電子マネー機能部ＩＤとメーカ情報に分配する。この分配によって、ユーザとメーカは分配金を得ることができる。
【０００９】
（２）実施の形態の詳細
図１は、本実施の形態の広告紹介システムの構成を示した図である。
広告紹介システム１は、ユーザ端末４、リーダライタ５、電子マネーカード６、電子マネーサーバ２、紹介サーバ３、分配サーバ７、銀行システム９、複数の加盟店サーバ８、８、８（以下、加盟店サーバ８と記す）、・・・から構成されている。
【００１０】
電子マネーカード６は、非接触ＩＣチップが内蔵されたＩＣカードであって、バリューと呼ばれる貨幣価値を表した電子データを記憶しており、バリューの金額を増減することにより金銭的価値の移動を行うことができる。
図示しないが、電子マネーカード６は、店舗などに設置された電子マネー端末と短距離の無線通信により接続し、電子マネー端末から指令した金額分のバリューを電子マネーカード６から減額することにより代金の決済を行えるものである。
【００１１】
非接触ＩＣチップには、固有の電子マネー機能部ＩＤが付与してあり、広告紹介システム１では、これによって電子マネーカード６を特定できるようになっている。
なお、電子マネーカード６の記憶する金額を増額させる処理はチャージと呼ばれ、減額させる処理は決済と呼ばれる。
【００１２】
リーダライタ５は、電子マネーカード６とユーザ端末４が通信を行う際のインターフェースを提供するデバイスであって、ユーザ端末４の製造時にユーザ端末４の内部に組み込まれている。
リーダライタ５は、アンテナを内蔵しており、電子マネーカード６と近距離の無線により接続する。
【００１３】
具体的な使用形態としては、リーダライタ５が設置された箇所の表面に、電子マネーカード６を置くなどしてリーダライタ５に電子マネーカード６を設置する。
本実施の形態では、電子マネーカード６がユーザ端末４に内蔵されている場合を主に説明するが、後述するように、リーダライタ５を周辺機器としてユーザ端末４に外部から取り付けることも可能である。
【００１４】
ユーザ端末４は、例えば、パーソナルコンピュータで構成されており、インターネットなどのネットワークを介して紹介サーバ３や電子マネーサーバ２と接続可能となっている。
なお、ユーザ端末４としては、ネットワークに接続可能なゲーム機、テレビ、セットトップボックス、携帯電話などの携帯端末、家電などが可能である。
ユーザ端末４には、紹介サイト接続プログラムが内蔵されており、これをＣＰＵが実行することにより、紹介サイト接続部６１が形成される。
ここで、紹介サイト接続プログラムは、広告ウェブサイト接続プログラムとして機能する。
【００１５】
紹介サイト接続部６１は、ユーザ端末４を紹介サイト１０に接続する機能部であり、紹介サイト１０への接続情報（ＵＲＬ（Ｕｎｉｆｏｒｍ  Ｒｅｓｏｕｒｃｅ  Ｌｏｃａｔｏｒｓ））と、紹介サーバ３がユーザを加盟店サーバ８に送客したことに起因して発生する報酬の支払対象者を特定する報酬対象者情報を記憶している。
本実施の形態では、報酬対象者をユーザ端末４のメーカとし、報酬対象者情報として当該メーカを特定するメーカ情報が記憶されている。
【００１６】
紹介サイト接続部６１は、リーダライタ５に電子マネーカード６が接続されているか否かを監視しており、ユーザがリーダライタ５に電子マネーカード６を接続すると、これを検知して動作を開始する。
まず、紹介サイト接続部６１は、電子マネーカード６から電子マネー機能部ＩＤを読み取ると共に、記憶してあるメーカ情報を読み出す。
【００１７】
そして、紹介サイト接続部６１は、ユーザ端末４を紹介サイト１０に接続して電子マネー機能部ＩＤとメーカ情報を紹介サイト１０に送信する。
このようにして、ユーザ端末４から紹介サーバ３へ、送客による報酬対象者情報が送信される。
なお、本実施の形態では、メーカの他にユーザにも報酬を支払うこととし、報酬対象者情報として、メーカ情報に加えて電子マネー機能部ＩＤも報酬対象者情報として紹介サイト１０に送信している。
【００１８】
また、メーカ情報の送信方法としては、上記の他に、紹介サイト１０の接続情報にメーカ情報をパラメータとして付随させて、接続の際に紹介サイト１０に送信したり、あるいは、メーカ情報別に接続情報を用意し、何れの接続情報で接続したかによって紹介サイト１０にメーカ情報を伝達してもよい。
【００１９】
このように、紹介サイト接続部６１は、予め記憶しておいた接続情報によって指定された紹介サイト接続部６１に接続し、報酬対象者情報を紹介サイト接続部６１に送信する。
報酬対象者は、メーカ情報のように予め紹介サイト接続部６１が記憶しておいてもよいし、あるいは、電子マネー機能部ＩＤのように電子マネーカード６から読み取ってもよい。
また、本実施の形態では、接続情報を紹介サイト接続部６１に記憶させたが、これを電子マネーカード６に記憶させ、紹介サイト接続部６１が電子マネーカード６からこれを読み取って紹介サイト１０に接続するように構成することも可能である。
【００２０】
紹介サーバ３は、紹介サイト１０を運営し、ユーザから紹介サイト１０への接続を加盟店サイトへ誘導するサーバ装置である。
紹介サイト１０では、例えば、「引っ越しなら○○引越店へ」、「家具の○○店  １０％割引中」などと、加盟店サイトへユーザを誘導するための広告（例えば、バナー広告）が選択可能に提示される。紹介サイト１０は、広告ウェブサイトとして機能している。
【００２１】
ユーザがユーザ端末４にて紹介サイトを閲覧し、何れかの広告を選択すると、ユーザが選択した広告を特定する情報がユーザ端末４から紹介サーバ３に送信される。
すると、紹介サーバ３は、ユーザ端末４を選択された加盟店サイトに接続して、ユーザを加盟店サイトに誘導し、これによってユーザを送客する。
【００２２】
紹介サーバ３は、ユーザを送客する際に、紹介ＩＤを採番して紹介履歴データを生成し、これに電子マネー機能部ＩＤ、メーカ情報、加盟店ＩＤなどを記録する。以降、紹介サーバ３は、紹介履歴データによって、各紹介案件を管理する。
紹介サイト１０の紹介によりユーザが加盟店サイトで買い物をすると、加盟店サーバ８が購入履歴を紹介サーバ３に送信するようになっており、紹介サーバ３は、紹介履歴データと購入履歴を突合し、紹介案件ごとの報酬金額を計算する。
紹介サーバ３は、以上のようにして紹介案件ごとの報酬金額を取得すると、報酬対象者（電子マネー機能部ＩＤ、メーカ情報）と報酬金額を分配サーバ７に通知する。
【００２３】
加盟店サーバ８は、加盟店サイトを運営するサーバ装置である。
加盟店サイトは、商品やサービスなどを販売するウェブサイトであって、紹介サイト１０からユーザが誘導されると、その成功報酬として報酬対象者に支払う報酬金の原資を負担する。
加盟店の原資負担は、例えば、売上の５％であるとか、販売の有無を問わず、送客１件につき１０円などと、報酬を支払う事象が契約などによって決められている。
そして、加盟店サーバ８は、このような事象が発生すると紹介サーバ３に通知するようになっている。
本実施の形態では、ユーザが商品を購入すると、その売上に応じた報酬が発生するものとし、加盟店サーバ８は、購入情報を紹介サーバ３に送信する。
【００２４】
分配サーバ７は、報酬対象者ごとに報酬金額を集計して分配するサーバ装置である。
分配サーバ７は、紹介サーバ３から電子マネー端末ＩＤ、メーカ情報、報酬金額を受信し、所定の分配比率に従って、報酬金額を電子マネー端末ＩＤとメーカ情報に割り当てる。
電子マネー端末ＩＤに割り当てられたユーザ分報酬金額はユーザに還元され、メーカ情報に割り当てられたメーカ分報酬金額はメーカに還元される。
【００２５】
分配サーバ７は、報酬金額の分配処理が完了すると、メーカ分報酬金額に関しては、報酬金額が各メーカの銀行口座に振り込まれるように銀行システム９に指示する。
一方、ユーザ分報酬金額に関しては、電子マネー機能部ＩＤと共に電子マネーサーバ２に通知し、更に、電子マネーサーバ２の運用体の銀行口座に報酬金額を振り込む。
【００２６】
電子マネーサーバ２は、銀行口座に振り込まれた報酬金額を、ユーザの電子マネーカード６にチャージしたり、その他、電子マネーの流通に関する管理を行っているサーバ装置である。
電子マネーサーバ２は、電子マネーカード６にチャージを行ったり、その他各種のサービスを提供するためのウェブサイトであるサービスサイトを開設している。
そして、サービスサイトでは、ユーザが、報酬金額の確認、及び電子マネーカード６へのチャージを行えるようになっている。
【００２７】
ユーザが、電子マネーカード６をリーダライタ５に接続すると共に、ユーザ端末４をサービスサイトに接続し、報酬金額のチャージを要求すると、電子マネーサーバ２は、報酬金額分のバリューを増額する金額変更情報を生成して電子マネーカード６に送信する。
電子マネーカード６は、この金額変更情報を用いてチャージを行い、これによって、ユーザは報酬を受け取ることができる。
【００２８】
以上のように、広告紹介システム１では、紹介サイト接続部６１が紹介サイト１０に報酬対象者情報を送信することにより、指定された報酬対象者に報酬を支給することができる。
なお、本実施の形態では、ユーザ端末４のメーカやユーザを報酬対象者としたが、これは一例であって、任意の者を報酬対象者とすることができる。
例えば、ユーザ端末４の販売店舗、電子マネーカード６の発行会社、電子マネー事業と提携している事業者、リーダライタ５の販売元など報酬対象者とすることができる。
この場合、これら報酬対象者を特定する情報を紹介サイト接続部６１や電子マネーカード６に記憶しておき、紹介サイト接続部６１から紹介サイト１０に送信されるようにする。
【００２９】
図２は、電子マネーカード６のハードウェア的な構成の一例を示したブロック図である。
電子マネーカード６は、ＣＰＵ（Ｃｅｎｔｒａｌ  Ｐｒｏｃｅｓｓｉｎｇ  Ｕｎｉｔ）２１、高周波回路２２、アンテナ２６、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）２５などを有している。
これらの素子は、ＩＣチップ上に形成されており、このＩＣチップは、貨幣価値（バリュー）の残高（バリュー残高）を記憶した貨幣端末として機能している。
ただし、アンテナ２６は、電子マネーカード６内部の外縁部付近、又は電子マネーカード６の対角線を軸とする楕円曲線上に張り巡らされた空中線により構成され、端部がＩＣチップに接続されている。
【００３０】
ＣＰＵ２１は、ＲＯＭ２３やＥＥＰＲＯＭ２５に記憶されている各種プログラムに従って情報処理を行う中央処理装置であり、決済処理、チャージなど、記憶されているバリュー残高の金額を変更する金額変更処理を行う。
ＣＰＵ２１は、アンテナ２６、高周波回路２２を介して、リーダライタ５と近距離の無線通信を行うことができる。
【００３１】
アンテナ２６は、ユーザ端末４のリーダライタ５に内蔵されたアンテナと電波による送受信を行うためのアンテナであり、各種情報の送受信を行うほか、リーダライタ５からの電波によりＩＣチップを駆動するための電力を発電する。
【００３２】
高周波回路２２は、リーダライタ５からアンテナ２６に送信されてきた高周波をデジタル信号に変換してＣＰＵ２１に出力したり、逆にＣＰＵ２１が出力したデジタル信号を高周波に変換してアンテナ２６からリーダライタ５に送出する。
【００３３】
ＲＡＭ２４は、ＣＰＵ２１が情報処理を行う際のワーキングメモリを提供する随時書き込み読み出し可能なメモリである。
本実施の形態では、ＣＰＵ２１が電子マネー機能部ＩＤをユーザ端末４に送信したり、金額変更処理を行う際に、一時的な記憶領域として使用される。
ＲＯＭ２３は、電子マネーカード６を機能させるための基本的なプログラムやパラメータ、データなどを記憶した読み出し専用メモリである。
【００３４】
ＥＥＰＲＯＭ２５は、情報の書き込み消去が可能なＲＯＭである。ＥＥＰＲＯＭ２５に記憶してある情報は、電子マネーカード６への電力の供給がない場合でも保たれる。
ＥＥＰＲＯＭ２５には、電子マネーカード６に電子マネーカードとしての機能を発揮させるための電子マネー処理プログラムが記憶されているほか、電子マネー機能部ＩＤ、バリュー残高、ログデータなどの各種データを格納する電子マネー記憶部２９が形成されている。
【００３５】
図３は、ＣＰＵ２１で電子マネー処理プログラムを実行した場合に形成される電子マネーカード６の機能的な構成を模式的に表したブロック図である。
ＥＥＰＲＯＭ２５に形成された電子マネー記憶部２９には、電子マネー機能部ＩＤ、バリュー残高、ログデータなどを記憶している。
【００３６】
バリュー残高は、現在記憶しているバリューの残高であり、電子マネーカード６は、店舗に設置された電子マネー端末などで、このバリュー残高を減額することにより決済処理を行うことができる。
このように、電子マネー記憶部２９は、貨幣価値の金額を電子データ（バリュー）として記憶する金額記憶手段として機能している。
ログデータは、バリュー処理内容などを記録したログデータであり、処理日時分秒、チャージ金額、決済金額などから構成されている。
【００３７】
端末通信部２７は、アンテナ２６や高周波回路２２などを用いて構成され、ユーザ端末４のリーダライタ５から後述のＩＤ参照コマンドや金額変更情報、その他のコマンドなどを受信してバリュー処理部２８に入力するなど、ユーザ端末４とバリュー処理部２８の通信を仲介する。
【００３８】
バリュー処理部２８は、各種コマンドを実行する情報処理部である。
コマンドには、金額変更情報、ＩＤ参照コマンド、残高参照コマンドなどがある。
金額変更情報は、バリュー処理部２８に金額変更処理を行わせるコマンドである。
バリュー処理部２８は、金額変更処理を実行すると、金額変更情報で指定された金額分だけバリュー残高を増減させる。
【００３９】
ＩＤ参照コマンドは、バリュー処理部２８に電子マネー機能部ＩＤを読み出させるコマンドであり、バリュー処理部２８は、ＩＤ参照コマンドが入力されると、電子マネー記憶部２９から電子マネー機能部ＩＤを読み出して出力する。
残高参照コマンドは、バリュー処理部２８にバリュー残高を読み出させるコマンドであり、バリュー処理部２８は残高参照コマンドが入力されると電子マネー記憶部２９からバリュー残高を読み出して出力する。
【００４０】
以上、電子マネーカード６の構成について説明したが、電子マネーカード６に組み込んだＩＣチップと同様のＩＣチップを携帯電話やその他の携帯端末に搭載したものも一般に広く用いられている。
図４は、ＩＣチップを組み込んだ携帯電話の構成の一例を示した概念図である。
携帯電話は、電話機能部１０とＩＣチップ１２を備えており、両者はインターフェース部１１によって接続している。
ＩＣチップ１２は、電子マネーカード６に組み込まれているＩＣチップと同様の機能を有し、電子マネー機能部ＩＤを出力したり、金額変更処理を行う機能などを有している。
【００４１】
電話機能部１０は、通話を行う通話モードとアプリケーションモードを有しており、ユーザの操作により切り替えることができる。
電話機能部１０は、ＣＰＵと、各種のアプリケーションプログラムを記憶した記憶部を備えており、アプリケーションモードにてこれらのアプリケーションプログラムをＣＰＵで実行することにより各種のアプリケーション機能を発揮することができる。
【００４２】
電子マネーアプリケーション部１５は、電話機能部１０のＣＰＵで電子マネーアプリケーションプログラムを実行することにより形成される。
電子マネーアプリケーション部１５は、電子マネーサーバ２とＩＣチップ１２の両方にアクセスすることができ、電子マネーサーバ２とＩＣチップ１２の通信を仲介することができる。
【００４３】
ＩＣチップ１２は、インターフェース部１１によって電子マネーアプリケーション部１５と接続している。
ＩＣチップ１２には、電子マネーカード６と同様に、ＩＣチップ内で、ＥＥＰＲＯＭに記憶された電子マネープログラムをＣＰＵが実行することにより、端末通信部１６、バリュー処理部１７、電子マネー記憶部１８などが形成される。これらの機能は、図３の電子マネーカード６の場合と同様である。
【００４４】
バリュー処理部１７は、端末通信部１６を介してユーザ端末４と通信し、電子マネーカード６と同様に電子マネー機能部ＩＤの出力や金額変更処理を行うほか、電子マネーアプリケーション部１５を介して電子マネーサーバ２から金額変更情報を受信して金額変更処理を行うことができる。
このように、携帯電話は、電子マネーアプリケーション部１５によって電子マネーサーバ２と通信できるため、携帯電話を電子マネーアプリケーション部１５を経由して電子マネーサーバ２に接続し、報酬金をＩＣチップ１２にチャージすることができる。
【００４５】
図５は、ユーザ端末４のハードウェア的な構成の一例を示した図である。
ユーザ端末４は、ＣＰＵ３１、ＲＯＭ３３、ＲＡＭ３４、通信制御部３５、記憶部３６、入力部３７、出力部３８、リーダライタ５などがバスラインで接続されて構成されている。
【００４６】
ＣＰＵ３１は、所定のプログラムに従って情報処理を行うほか、ユーザ端末４全体の制御などを行う。
本実施の形態では、ＣＰＵ３１は、紹介サイトプログラムを実行して紹介サイト接続部６１を動作させ、ユーザ端末４を紹介サイト１０に接続させたり、電子マネーカード６から電子マネー機能部ＩＤを読み込んだり、電子マネー機能部ＩＤとメーカ情報を紹介サイト１０に送信したりする。
【００４７】
ＲＯＭ３３は、ユーザ端末４を動作させるための基本的なプログラムやパラメータなどを記憶した読み出し専用メモリである。
ＲＡＭ３４は、ＣＰＵ３１のワーキングメモリを提供したり、記憶部３６に記憶されたプログラムやデータをロードして記憶したりなどする随時書き込み読み出し可能なメモリである。
通信制御部３５は、ネットワークを介してユーザ端末４を紹介サイト１０やその他のサーバ装置に接続する接続装置である。
【００４８】
入力部３７は、例えば、キーボードやマウスなどの入力デバイスを用いて構成されており、ユーザが紹介サイトで加盟店サイトを選択したり、加盟店サイトで商品を購入したりする際の操作を受け付ける。
出力部３８は、例えば、ディスプレイ、スピーカ、プリンタなどの出力デバイスを用いて構成されており、紹介サイト１０や加盟店サイトの画面を表示したり、音声を発したりする。
【００４９】
リーダライタ５は、アンテナを内蔵しており、電子マネーカード６のＩＣチップと無線通信を行う。
リーダライタ５には、固有のリーダライタＩＤが付与されており、ユーザ端末４がリーダライタ５からリーダライタＩＤを読み取れるようになっている。
リーダライタＩＤは、後述するリーダライタ５が外付けの場合に、紹介サーバ３がリーダライタ５を真正のリーダライタであるか否かを判断するのに用いられる。
【００５０】
記憶部３６は、例えばハードディスクやその他の記憶媒体と、これらを駆動する駆動装置から構成されており、各種プログラムを格納したプログラム格納部４２、データを格納したデータ格納部４４などから構成されている。
プログラム格納部４２には、ユーザ端末４を機能させるための基本的なプログラムであるＯＳや、ＣＰＵ３１が紹介サイト接続部６１を実現するための紹介サイト接続プログラムなどが記憶されている。
データ格納部４４には、ユーザが使用するデータ類が記憶されている。
【００５１】
図６は、紹介サイト接続部６１の機能的な構成を説明するためのブロック図である。
紹介サイト接続部６１は、カード検知部６２、カード読取部６３、紹介サイト接続部６４、記憶部６５などから構成されている。
これらの機能部は、紹介サイト接続プログラムをＣＰＵ３１（図５）で実行することにより形成される。
【００５２】
カード検知部６２は、電子マネーカード６がリーダライタ５に接続したか否かを監視する。
ユーザは、ユーザ端末４を紹介サイト１０に接続する際に電子マネーカード６をリーダライタ５の上に置くなどして接続要求の意思表示を行うが、カード検知部６２は、電子マネーカード６とリーダライタ５の接続を確認することによりユーザの接続要求を検知する。
このように、紹介サイト接続プログラムは、電子マネーカード６のＩＣチップがリーダライタ５に接続したことを検知する検知機能を実現する。
【００５３】
カード読取部６３は、カード検知部６２が電子マネーカード６を検知すると、ＩＤ参照コマンドを電子マネーカード６に送信し、電子マネーカード６から電子マネー機能部ＩＤを読み取る。
このように、紹介サイト接続プログラムは、接続を検知した電子マネーカード６のＩＣチップから当該ＩＣチップを特定するＩＣチップ情報（電子マネー機能部ＩＤ）を取得するＩＣチップ情報取得機能を実現する。
【００５４】
紹介サイト接続部６４は、ブラウザを起動させると共に、記憶部６５から紹介サイトのＵＲＬを読み取ってブラウザに入力し、ユーザ端末４を紹介サイト１０に接続する。
このように、紹介サイト接続プログラムは、電子マネーカード６のＩＣチップの接続を検知した場合に、顧客端末（ユーザ端末４）を所定の広告ウェブサイト（紹介サイト１０）に接続する接続機能を実現する。
【００５５】
更に、紹介サイト接続部６４は、電子マネーカード６から読み取った電子マネー機能部ＩＤと、記憶部６５に記憶してあるメーカ情報を紹介サイト１０に送信する。
なお、紹介サイト１０のＵＲＬにメーカ情報が付随している場合は、紹介サイト１０への接続と同時にメーカ情報が紹介サイト１０に通知される。
【００５６】
このように、紹介サイト接続プログラムは、予め記憶した報酬対象者情報を接続情報によって接続した広告ウェブサイト（紹介サイト１０）に送信する報酬対象者情報送信機能を実現する。
また、接続情報にメーカ情報を付随させたり、あるいは、メーカ別に接続情報を設定する場合、報酬対象者情報は、接続情報に含まれていることになる。
更に、紹介サイト接続プログラムは、接続を検知した電子マネーカード６のＩＣチップから当該ＩＣチップを特定するＩＣチップ情報（電子マネー機能部ＩＤ）を取得して広告ウェブサイト（紹介サイト１０）に送信するＩＣチップ情報送信機能を実現する。
【００５７】
記憶部６５は、紹介サイト１０のＵＲＬや報酬対象者を特定する情報（ここでは、メーカ情報）を記憶している。
このように、紹介サイト接続プログラムは、顧客（ユーザ）を所定の広告ウェブサイト（紹介サイト１０）を介して商取引ウェブサイト（加盟店サイト）に誘導した実績による報酬を受ける報酬対象者を特定する報酬対象者情報を記憶する報酬対象者情報記憶機能を実現する。
以上のように、ユーザ端末４は、広告ウェブサイト接続プログラム（紹介サイト接続プログラム）を記憶する記憶手段と、この広告ウェブサイトプログラムを実行する実行手段と、電子マネーカード６のＩＣチップにアクセスするリーダライタ５と、を備えた情報処理装置として機能している。
【００５８】
図７は、紹介サーバ３のハードウェア的な構成の一例を示した図である。
紹介サーバ３は、ＣＰＵ５１、ＲＯＭ５２、ＲＡＭ５４、通信制御部５３、記憶部５５などがバスラインで接続されて構成されており、広告紹介システム１において、顧客端末（ユーザ端末４）からアクセスを受け、店舗の商取引ウェブサイト（加盟店サイト）へ誘導する広告ウェブサイト（紹介サイト１０）を運営するサーバ装置として機能している。
【００５９】
ＣＰＵ５１は、所定のプログラムに従って各種の情報処理を行う中央処理装置である。本実施の形態では、ユーザ端末４から電子マネー機能部ＩＤやメーカ情報を受信して紹介履歴データを生成すると共に、ユーザ端末４からの接続を加盟店サーバ８に仲介したり、加盟店サーバ８からの購入情報から報酬金額を算出して紹介履歴データと突合したりする。
【００６０】
ＲＯＭ５２は、読み出し専用のメモリであり、紹介サーバ３を動作させるための基本的なプログラムやパラメータなどが記憶されている。
ＲＡＭ５４は、読み書き可能なメモリであって、ＣＰＵ５１のワーキングメモリを提供したり、記憶部５５に記憶されたプログラムやデータをロードして記憶したりなどする。
通信制御部５３は、ユーザ端末４、加盟店サーバ８、分配サーバ７などと通信するための制御部である。
【００６１】
記憶部５５は、例えばハードディスクなどの大容量の記憶装置を用いて構成されており、各種プログラムを格納したプログラム格納部５６、データを格納したデータ格納部５７などから構成されている。
プログラム格納部５６には、紹介サーバ３を機能させるための基本的なプログラムであるＯＳや、ＣＰＵ５１が紹介サイト１０を実現するための紹介サイトプログラム、その他のプログラムが格納されている。
【００６２】
データ格納部５７には、加盟店データベースや紹介履歴データベースなどが格納されている。
加盟店データベースには、ユーザ端末４を加盟店サイトへ接続するための接続情報や、各加盟店の加盟店ＩＤ、名称、連絡先などを記録した加盟店データが記憶されている。
紹介履歴データベースには、各紹介案件の紹介履歴データが記憶されている。
また、図示しないが、データ格納部５７には、加盟店サーバ８から送信されてきた購入情報を記憶した購入情報データベースも形成されている。
【００６３】
図８は、紹介履歴データベースの論理的な構成を示した図である。
紹介履歴データベースは、紹介履歴データを格納したデータベースであって、紹介履歴データは、「紹介ＩＤ」、「紹介日時」、「電子マネー機能部ＩＤ」、「メーカ情報」、「加盟店ＩＤ」、「報酬金額」、その他の項目から構成されている。
「紹介ＩＤ」は、ユーザ端末４を加盟店サーバ８に接続するたびに（即ち、ユーザを加盟店サイトに送客するたびに）紹介サーバ３が採番したＩＤ情報である。
紹介履歴データは、ユーザが加盟店サーバ８で商品を購入しない場合でも、加盟店サーバ８にアクセスすれば作成される。
【００６４】
「紹介日時」は、ユーザ端末４を加盟店サーバ８に接続した際の日時である。
「電子マネー機能部ＩＤ」は、ユーザ端末４から受信した電子マネー機能部ＩＤである。
「メーカ情報」は、ユーザ端末４から受信したメーカ情報である。
「加盟店ＩＤ」は、ユーザ端末４を接続した加盟店サーバ８の加盟店ＩＤである。
「報酬金額」は、加盟店サーバ８から送信されてきた購入情報から紹介サーバ３が算出した報酬金額である。
紹介サーバ３は、紹介履歴データベースに蓄積した紹介履歴データのうち、報酬金額が突合されたものを、例えば、１日に１回程度、まとめて分配サーバ７に送信する。
【００６５】
次に、分配サーバ７について説明する。
図示しないが、分配サーバ７のハードウェア的な構成は、基本的に紹介サーバ３と同じである。
分配サーバ７は、紹介サーバ３から紹介履歴データを受信して記憶する。そして、分配テーブルを参照しながらこれを集計してユーザ分報酬金額データとメーカ分報酬金額データを生成する。
【００６６】
図９（ａ）に、分配テーブルの論理的な構成を示す。
分配テーブルは、報酬対象者に報酬を分配する比率を記憶したテーブルである。
図の例では、ユーザの比率が５０％、メーカの比率が５０％となっており、分配サーバ７は、報酬金額をユーザとメーカに５０％ずつ分配する。
【００６７】
図９（ｂ）は、ユーザ分報酬金額データの論理的な構成を示した図であり、図９（ｃ）は、メーカ分報酬金額データの論理的な構成を示した図である。
ユーザ分報酬金額データは、分配テーブルの比率に基づいて紹介履歴データからユーザ分の報酬を集計したデータであって、電子マネー機能部ＩＤとユーザに分配された報酬金額が対応づけられている。
一方、メーカ分報酬金額データは、分配テーブルの比率に基づいて紹介履歴データからメーカ分の報酬を集計したデータであって、メーカに報酬金が対応づけられている。
紹介サーバ３は、ユーザ分報酬金額データをファイルに出力して電子マネーサーバ２に送信し、メーカ分報酬金額データをファイルに出力して銀行システム９に送信する。
【００６８】
次に、図１０のフローチャートを用いて、広告紹介システム１がユーザを加盟店サイトに送客する手順について説明する。
まず、ユーザは、電子マネーカード６をリーダライタ５に設置し、これによってユーザ端末４に紹介サイト１０への接続要求を行う。
ユーザ端末４は、電子マネーカード６がリーダライタ５に接続したことを検知し、これによって紹介サイト１０への接続要求を受け付ける（ステップ５）。
【００６９】
なお、本実施の形態では、ユーザ端末４が電子マネーカード６の接続を監視し、電子マネーカード６を検知した場合に自動的に接続要求を受け付ける方式としたが、他の形態も可能である。
例えば、接続要求ボタンをクリックするなどしてユーザから接続要求の意思表示を受けてから、「電子マネーカードをリーダライタにセットしてください」などとメッセージをユーザに発して、ユーザに電子マネーカード６をリーダライタ５にセットさせるように構成することもできる。
【００７０】
次に、ユーザ端末４は、電子マネーカード６にＩＤ参照コマンドを送信し、電子マネー機能部ＩＤの送信を要求する（ステップ１０）。
電子マネーカード６は、ユーザ端末４からＩＤ参照コマンドを受信してこれを実行し、ユーザ端末４に電子マネー機能部ＩＤを送信する（ステップ１５）。
【００７１】
ユーザ端末４は、電子マネーカード６から電子マネー機能部ＩＤを受信して一時記憶する。
次いで、ユーザ端末４は、紹介サイト１０への接続情報とメーカ情報を読み出し、接続情報を用いて紹介サイト１０に接続して、電子マネー機能部ＩＤとメーカ情報を紹介サーバ３に送信する（ステップ２０）。
【００７２】
紹介サーバ３は、ユーザ端末４からの接続を受け付けて、ユーザ端末４から電子マネー機能部ＩＤとメーカ情報を受信すると、これらを記憶する（ステップ２５）。
このように、紹介サーバ３は、顧客端末（ユーザ端末４）から、広告ウェブサイト（紹介サイト１０）への接続を受け付ける接続受付手段を備えている。
更に、紹介サーバ３は、誘導した実績による報酬を受け取る報酬対象者を特定する報酬対象者情報（電子マネー機能部ＩＤ、メーカ情報）を顧客端末（ユーザ端末４）から取得する報酬対象者情報取得手段を備えている。
【００７３】
次に、紹介サーバ３は、紹介サイトの画面を表示するための紹介サイト画面データをユーザ端末４に送信する（ステップ３０）。
ユーザ端末４は、紹介サーバ３から紹介サイト画面データを受信し、これを用いてディスプレイに紹介サイト画面を表示する。
ユーザが紹介サイト画面を参照し、そこに一覧された加盟店サイトから所望のものを選択する（ステップ３５）。
【００７４】
ユーザが加盟店サイトを選択すると、ユーザ端末４は、加盟店サイトを特定する情報を紹介サイト１０に送信する。
これによって紹介サーバ３は、ユーザが選択した加盟店サイトを検知し、紹介ＩＤを発番する。そして、紹介サーバ３は、ユーザ端末４を当該加盟店サーバ８に接続すると共に紹介ＩＤを加盟店サーバ８に送信する（ステップ４０）。
このように、紹介サーバ３は、接続を受け付けた顧客端末（ユーザ端末４）を商取引ウェブサイト（加盟店サイト）に接続させることにより、顧客（ユーザ）を商取引ウェブサイトに誘導する誘導手段を備えている。
【００７５】
更に、紹介サーバ３は、ユーザ端末４から受信した電子マネー機能部ＩＤとメーカ情報、及びユーザが選択した加盟店サーバ８の加盟店ＩＤを紹介ＩＤに紐づけて紹介履歴データを生成する。
そして、紹介サーバ３は、生成した紹介履歴データを紹介履歴データベースに登録する（ステップ４５）。
加盟店サーバ８は、紹介サーバ３の仲介によりユーザ端末４からの接続を受け付けると共に、ユーザ端末４から紹介ＩＤを受信して、これを記憶する。
【００７６】
ユーザ端末４は、加盟店サーバ８に接続した後、ユーザの操作により商取引を行い、加盟店サーバ８に商品を購入する旨の通知を行う（ステップ５０）。
これに対し、加盟店サーバ８は、例えば、売上データを作成するなど、商品販売処理を行う（ステップ５５）。
加盟店サーバ８は、ユーザとの商取引が成立した場合に、売上データに紹介ＩＤを記録し、何れの紹介案件によって成り立った取引かを記録する。
【００７７】
加盟店サーバ８は、このようにして売上データを蓄積し、例えば、１日に１回程度、売上データを集計し、紹介ＩＤごとの売上金額を計算する。
そして、加盟店サーバ８は、紹介ＩＤと売上金額を紐づけた購入情報を生成し、紹介サーバ３に送信する（ステップ６０）。
購入情報には、更に、ユーザが購入した商品やその他の情報を付与することもできる。
【００７８】
紹介サーバ３は、加盟店サーバ８から購入情報を受信して購入情報データベースに記憶する。
そして、紹介サーバ３は、購入金額を所定の計算式に代入して紹介ＩＤごとの報酬金額（例えば、売上の５％）を計算し、紹介ＩＤと報酬金額を対応づける。
このように、紹介サーバ３は、ユーザを誘導した実績による報酬金額を取得する報酬金額取得手段を備えている。
【００７９】
次に、紹介サーバ３は、報酬金額を計算した紹介ＩＤと、紹介履歴データの紹介ＩＤを突合し、紹介履歴データに対応する報酬金額を追加登録する。
このように、紹介サーバ３は、報酬対象者情報と、この報酬金額を対応づけて記憶する記憶手段を備えている。
以上のようにして、紹介サーバ３は、電子マネー機能部ＩＤ、メーカＩＤ、及び報酬金額が対応づけられた紹介履歴データを生成することができる。
【００８０】
次に、図１１のフローチャートを用いて広告紹介システム１が報酬金額を報酬対象者に分配する手順を説明する。
まず、紹介サーバ３は、紹介履歴データベースから報酬金額が追加登録されたものを抽出し、分配サーバ７に送信する（ステップ７０）。この処理は、例えば、バッチ処理にて１日に１回程度行われる。
分配サーバ７は、紹介サーバ３から紹介履歴データを受信して記憶する（ステップ７５）。
【００８１】
分配サーバ７は、分配テーブルを参照しながら紹介履歴データごとにメーカ分報酬金額を計算し、結果をメーカごとに集計する（ステップ８０）。
次に、分配サーバ７は、分配金テーブルを参照しながら紹介履歴データごとに電子マネー機能部ＩＤに対応するユーザ分報酬金額を計算し、電子マネー機能部ＩＤごとに集計する（ステップ８５）。
そして、分配サーバ７は、これら集計結果をファイルなどに出力する（ステップ９０）。
この後、分配サーバ７は、以上のようにして出力したメーカ分報酬金額ファイルを銀行システム９に送信し、ユーザ分報酬金額ファイルを電子マネーサーバ２に送信する。
【００８２】
以上のようにして、加盟店が原資を提供した報酬は、ユーザ端末４のメーカと商品を購入したユーザに還元される。
【００８３】
ここで、ユーザへの還元は、次のように電子マネーを用いて行われる。
電子マネーサーバ２は、紹介サーバ３からユーザ分報酬金額ファイルを受信して、これを解析し、各電子マネー機能部ＩＤごとの報酬金額を取得して記憶する。
次に、電子マネーサーバ２は、例えば、電子メールなどにてユーザに報酬金の還元があることを通知する。
【００８４】
ユーザは、これを受けて電子マネーカード６をリーダライタ５に接続し、ユーザ端末４を電子マネーサーバ２のサービスサイトに接続する。
電子マネーサーバ２は、電子マネーカード６の電子マネー機能部ＩＤを取得し、当該電子マネー機能部ＩＤに対して発生している報酬金額を確認する。
次に、電子マネーサーバ２は、当該報酬金額をチャージする金額変更情報を生成し、電子マネーカード６に送信する。
電子マネーカード６は、電子マネーサーバ２から金額変更情報を受信してこれを実行し、報酬金額分のバリューをチャージする。
【００８５】
次に、リーダライタ５が着脱式であり、ユーザ端末４に外付けされている場合について説明する。
この場合、リーダライタ５は、紹介サイト接続プログラムを記憶した記憶媒体と共に配布される。
この紹介サイト接続プログラムには、リーダライタ５の配布者やその関係者などが報酬対象者として記憶されている。
なお、紹介サイト接続プログラムは、所定のウェブサイトからのダウンロードによって配布してもよい。
【００８６】
ユーザは、リーダライタ５と記憶媒体の配布を受けた後、リーダライタ５をユーザ端末４に接続し、記憶媒体を用いて紹介サイト接続プログラムをユーザ端末４にインストールする。
以上のように構成されたユーザ端末４を用いた紹介手順を図１２のフローチャートを用いて説明する。
ただし、図１０のフローチャートと同じ処理には同じステップ番号を付し、説明を省略・簡略化することにする。
【００８７】
まず、ユーザ端末４は、リーダライタ５によって電子マネーカード６を検知すると（ステップ１０５）、紹介サイト接続プログラムを起動し、リーダライタ５からリーダライタＩＤを取得する（ステップ１１０）。
次に、ユーザ端末４は、電子マネーカード６に電子マネー機能部ＩＤを要求し（ステップ１０）、これに対し、電子マネーカード６は、電子マネー機能部ＩＤをユーザ端末４に送信する（ステップ１５）。
【００８８】
次に、ユーザ端末４は、電子マネー機能部ＩＤ、メーカ情報、及びリーダライタＩＤを紹介サーバ３に送信する（ステップ１１５）。
紹介サーバ３は、これらのデータを受信し、リーダライタＩＤを確認する（ステップ１２０）。
紹介サーバ３は、予め正規品のリーダライタ５のリーダライタＩＤを記憶したデータベースを有しており、ユーザ端末４から受信したリーダライタ５のリーダライタＩＤがデータベースにある場合、リーダライタ５を正規品と確認する。
【００８９】
紹介サーバ３は、リーダライタ５が正規品の場合、以降の処理を続行する。以降のステップ２５以下の処理は、図１０と同じである。
また、リーダライタ５が正規品でない場合、紹介サーバ３は、ユーザ端末４にエラーメッセージを送信して処理を終了する。
【００９０】
以上に説明した本実施の形態では、ユーザとメーカに報酬を還元するため、電子マネー機能部ＩＤとメーカ情報を紹介サイト１０に送信したが、メーカ情報だけでよければ電子マネー機能部ＩＤを送信する必要はない。
この場合、ユーザが電子マネーカード６をリーダライタ５に設置すると、紹介サイト接続部６１は、これを検知してメーカ情報を紹介サイト１０に送信する。
【００９１】
また、本実施の形態では、紹介サーバ３、分配サーバ７、電子マネーサーバ２を、別のサーバ装置として説明したが、これに限定するものではなく、例えば、紹介サーバ３と分配サーバ７の機能を有するサーバ装置、紹介サーバ３と電子マネーサーバ２の機能を有するサーバ装置、分配サーバ７と電子マネーサーバ２の機能を有するサーバ装置、あるいは、紹介サーバ３、分配サーバ７、電子マネーサーバ２の機能を有するサーバ装置としてもよい。
【００９２】
更に、本実施の形態では、電子マネーカード６のＩＣチップを非接触型ＩＣチップとしたが、電極との接点により通信回路を確立する接触型ＩＣチップを用いてもよい。
【００９３】
以上に説明した本実施の形態により以下のような効果を得ることができる。
（１）ユーザの加盟店サイトへの誘導による報酬を受ける報酬対象者を第三者に設定することができる。そのため、送客効果に寄与している関係者に広く報酬を還元することができる。
（２）ユーザ端末４のメーカを報酬対象者とすることにより、ユーザがユーザ端末４を用いて加盟店サイトで買い物をするたびに、メーカにも持続的に報酬が支払われる。
（３）報酬対象者を複数設定することができ、これらに分配比率を設定することができる。
（４）ユーザも報酬対象者とすることにより、リーダライタ５内蔵のユーザ端末４の販売を促進することができる。
（５）電子マネーカード６の利用者が増え、電子マネーの流通を促進することができる。
【図面の簡単な説明】
【００９４】
【図１】本実施の形態の広告紹介システムの構成を説明するための図である。
【図２】電子マネーカードのハードウェア的な構成の一例を示したブロック図である。
【図３】電子マネーカードの機能的な構成を模式的に表したブロック図である。
【図４】携帯電話の機能的な構成の一例を示した概念図である。
【図５】ユーザ端末のハードウェア的な構成の一例を示した図である。
【図６】紹介サイト接続部の機能的な構成を説明するための図である。
【図７】紹介サーバのハードウェア的な構成の一例を示した図である。
【図８】紹介履歴データベースの論理的な構成の一例を示した図である。
【図９】分配サーバが有するデータベースなどを説明するための図である。
【図１０】ユーザを紹介サイトに送客する手順を説明するためのフローチャートである。
【図１１】分配サーバが報酬金額を分配する手順を説明するためのフローチャートである。
【図１２】リーダライタが外付けの場合の、ユーザを紹介サイトに送客する手順を説明するためのフローチャートである。
【符号の説明】
【００９５】
１  広告紹介システム
２  電子マネーサーバ
３  紹介サーバ
４  ユーザ端末
５  リーダライタ
６  電子マネーカード
７  分配サーバ
８  加盟店サーバ
９  銀行システム
１０  紹介サイト
６１  紹介サイト接続部
【図１】
2008225968.tif 000003
【図２】
2008225968.tif 000004
【図３】
2008225968.tif 000005
【図４】
2008225968.tif 000006
【図５】
2008225968.tif 000007
【図６】
2008225968.tif 000008
【図７】
2008225968.tif 000009
【図８】
2008225968.tif 000010
【図９】
2008225968.tif 000011
【図１０】
2008225968.tif 000012
【図１１】
2008225968.tif 000013
【図１２】
2008225968.tif 000014